(57)【特許請求の範囲】
【請求項１】
ハリスが連結される一または複数の腕棒を頭部に取り付けた釣り仕掛けにおいて、この腕棒にはハリスが連結される棒本体とこの棒本体に対し屈曲部を介して折り曲げられた引掛棒とを備え、この頭部にはこの引掛棒が挿入されて保持される引掛部を設け、同引掛部は引掛棒が保持された状態で腕棒の棒本体又は屈曲部を上方のみから押接する支点部を有し、腕棒の棒本体はこの支点部に押接されて頭部から延設されていることを特徴とする釣り仕掛け。
【請求項２】
前記頭部において、引掛部は腕棒の引掛棒が開口から挿入される引掛孔を有し、この引掛孔の開口端に前記支点部を有していることを特徴とする請求項１に記載の釣り仕掛け。
【請求項３】
前記引掛部の引掛孔は、筒部内に嵌め込んだ軸に設けた支持孔と、筒部に設けた開口とを有し、
前記腕棒の引掛棒は、腕棒の棒本体又は屈曲部が前記支点部で押接された状態で、この軸の支持孔に挿入されている
ことを特徴とする請求項２に記載の釣り仕掛け。
【請求項４】
前記軸は、開口の支点部が腕棒を押接可能に、筒部内で移動可能に支持されていることを特徴とする請求項３に記載の釣り仕掛け。
【請求項５】
前記軸は、筒部に螺合されたねじ部材により押されて、開口の支点部に対し腕棒を押接することを特徴とする請求項４に記載の釣り仕掛け。
【請求項６】
前記ねじ部材を緩めて前記軸による腕棒の押接を解除することにより、腕棒の引掛棒を頭部の引掛孔に対し着脱し得ることを特徴とする請求項５に記載の釣り仕掛け。
【請求項７】
前記頭部に連結された支持棒に対し前記軸及びねじ部材を支持棒の軸線に沿って移動可能に挿通して頭部に対し着脱し得ることを特徴とする請求項６に記載の釣り仕掛け。
【発明の詳細な説明】
【技術分野】
【０００１】
本発明は、ハリスが連結される一または複数の腕棒を頭部に取り付けた釣り仕掛けに関するものである。
【背景技術】
【０００２】
従来、下記の特許文献１のように頭部に複数のハリスが連結された釣り仕掛けと同種のものとして、図３（ａ）に示す釣り仕掛けが販売されている。販売時にこの釣り仕掛けにおいては、ハリス１５が連結された複数本の腕棒１０が頭部１に挿着されてまとめられている。図３（ｂ）に示すように使用時には頭部１から真下に延びる一本の腕棒１０以外の四本の腕棒１０を任意に折り曲げて各ハリス１５が適宜間隔をあけて保持される。
【先行技術文献】
【特許文献】
【０００３】
【特許文献１】特開２００２−３３０６８０号公報
【発明の概要】
【発明が解決しようとする課題】
【０００４】
しかし、各腕棒１０を繰り返し折り曲げて使用すると、各腕棒１０の折曲部１０ａが金属疲労により折損するおそれがあった。また、このように各ハリス１５が適宜間隔をあけて広がった状態では保管に不便であった。従って、釣り仕掛けの使い勝手が悪くなっていた。
【０００５】
この-発明は、釣り仕掛けの使い勝手を良くすることを目的としている。
【課題を解決するための手段】
【０００６】
後記実施形態の図面（図１〜３）の符号を援用して本発明を説明する。
請求項１の発明にかかる釣り仕掛けにおいては、ハリス（１５）が連結される一本または複数本の腕棒（１０）を頭部（１）に取り付け、この腕棒（１０）には例えば接続部（１４）でハリス（１５）が連結される棒本体（１１）とこの棒本体（１１）に対し屈曲部（１２）を介して折り曲げられた引掛棒（１３）とを備え、この頭部（１）にはこの引掛棒（１３）が挿入されて保持される引掛部（３）を設けている。
【０００７】
請求項１の発明では、ハリス（１５）が連結される棒本体（１１）を有する腕棒（１０）に予め屈曲部（１２）を形成してその屈曲部（１２）を介して折り曲げられた引掛棒（１３）を頭部（１）の引掛部（３）に保持したので、頭部（１）に対する棒本体（１１）の向きは、予め形成された屈曲部（１２）で棒本体（１１）と引掛部（３）とがなす交差角度により決まり、従来技術とは異なり、腕棒（１０）を繰り返し折り曲げて使用する必要はなく、腕棒（１０）が金属疲労により折損するおそれはなくなる。
【０００８】
また、引掛部（３）は引掛棒（１３）が保持された状態で腕棒（１０）の棒本体（１１）又は屈曲部（１２）を上方のみから押接する支点部（１６）を有し、この腕棒（１０）の棒本体（１１）はこの支点部（１６）に押接されて頭部（１）から延設されている。例えば、支点部（１６）は、棒本体（１１）と引掛棒（１３）との間の屈曲部（１２）、または、その屈曲部（１２）の付近の棒本体（１１）を押接する。請求項１の発明では、腕棒（１０）を支点部（１６）で押接して腕棒（１０）の棒本体（１１）を頭部（１）から安定性良く延設させることができる。
【０００９】
請求項１の発明を前提とする請求項２の発明において、前記頭部（１）の引掛部（３）は腕棒（１０）の引掛棒（１３）が開口（６）から挿入される引掛孔（４，９）を有し、この引掛孔（４，９）の開口（６）端に支点部（１６）を有している。請求項２の発明では、腕棒（１０）の引掛棒（１３）を開口（６）から引掛孔（４，９）に挿入して保持し易いとともに、開口（６）端の支点部（１６）で腕棒（１０）を押接して腕棒（１０）の棒本体（１１）を頭部（１）から安定性良く延設させることができる。
【００１０】
請求項２の発明を前提とする請求項３の発明において、前記引掛部（３）の引掛孔（４，９）は、筒部（３）内に嵌め込んだ軸（７）に設けた支持孔（９）と、筒部（３）に設けた開口（６）とを有し、前記腕棒（１０）の引掛棒（１３）は、腕棒（１０）の棒本体（１１）又は屈曲部（１２）が支点部（１６）で押接された状態で、この軸（７）の支持孔（９）に挿入されている。請求項３の発明では、腕棒（１０）の引掛棒（１３）を筒部（３）の開口（６）から筒部（３）内の軸（７）の支持孔（９）に挿入して保持し易いばかりでなく、軸（７）に支持孔（９）を設け易い。
【００１１】
請求項３の発明を前提とする請求項４の発明において、前記軸（７）は、開口（６）の支点部（１６）が腕棒（１０）を押接可能に、筒部（３）内で移動可能に支持されている。請求項４の発明では、筒部（３）内における軸（７）の移動により、開口（６）の支点部（１６）と軸（７）との間の保持間隔が変化し、腕棒（１０）の引掛棒（１３）を筒部（３）の開口（６）から筒部（３）内の軸（７）の支持孔（９）に挿入し易いとともに、開口（６）の支点部（１６）に対し腕棒（１０）を緩みなく押接することができる。
【００１２】
請求項４の発明を前提とする請求項５の発明において、前記軸（７）は、筒部（３）に螺合されたねじ部材（８）により押されて、開口（６）の支点部（１６）に対し腕棒（１０）を押接する。請求項５の発明では、ねじ部材（８）により軸（７）の移動位置を調節し易い。
【００１３】
請求項５の発明を前提とする請求項６の発明において、前記ねじ部材（８）を緩めて前記軸（７）による腕棒（１０）の押接を解除することにより、腕棒（１０）の引掛棒（１３）を頭部（１）の引掛孔（４，９）に対し着脱することができる。請求項６の発明では、腕棒（１０）を着脱することができるので、釣り仕掛けの保管に嵩張らず便利である。
【００１４】
請求項６の発明を前提とする請求項７の発明においては、前記頭部（１）に連結された支持棒（２）に対し前記軸（７）及びねじ部材（８）を支持棒（２）の軸線（２ａ）に沿って移動可能に挿通して頭部（１）に対し着脱し得る。請求項７の発明では、軸（７）及びねじ部材（８）の紛失を防止することができる。
【発明の効果】
【００１５】
本発明は、釣り仕掛けの使い勝手を良くすることができる。
【図面の簡単な説明】
【００１６】
【図１】（ａ）は後記実施形態にかかる釣り仕掛けを示す組付け斜視図であり、（ｂ）は同じく分解斜視図である。
【図２】（ａ）は図１（ｂ）の釣り仕掛けを示す部分拡大断面図であり、（ｂ）は図１（ｂ）の釣り仕掛けを組付ける途中状態を示す部分拡大断面図であり、（ｃ）は図１（ａ）の釣り仕掛けを示す部分拡大断面図である。
【図３】（ａ）は従来の釣り仕掛けにおいて販売時の状態を示す斜視図であり、（ｂ）は同じく使用時の状態を示す斜視図である。
【発明を実施するための形態】
【００１７】
以下、本発明の一実施形態にかかる釣り仕掛けについて図１〜２を参照して説明する。
頭部１は支持棒２が上下方向に貫通する内孔４により筒状をなす筒部３（引掛部）を有している。内孔４（引掛孔）は、上部で閉塞されているとともに、下部で底孔５により開放され、筒部３の外周に支持棒２を中心とする９０度の等間隔で並設された四個の開口６を有している。底孔５には雌ねじ５ａが形成されている。頭部１は支持棒２の上端部に取着されている。支持棒２は頭部１から下方へ延設されている。支持棒２には軸７及び雄ねじ部材８がその軸線２ａに沿って移動可能に挿通されている。軸７の上端面には支持棒２を中心とする９０度の等間隔で四個の支持孔９（引掛孔）が並設されている。軸７は支持棒２に沿って移動して底孔５から内孔４に嵌め込まれている。雄ねじ部材８は、支持棒２に沿って移動して底孔５の雌ねじ５ａに螺合され、軸７を内孔４側へ押えている。
【００１８】
複数の腕棒１０は、棒本体１１と、棒本体１１に対し屈曲部１２を介して適宜角度で折り曲げられた引掛棒１３とを有している。棒本体１１及び支持棒２の下端部にはハリス１５が連結される接続金具１４（接続部）が連結されている。
【００１９】
このような釣り仕掛けは次のようにして使用する。
例えば、頭部１及び支持棒２に対し各腕棒１０を分離した状態で保管する。
各腕棒１０において、引掛棒１３を筒部３の内孔４で開口６を通して軸７の支持孔９に挿入した後、雄ねじ部材８により軸７を内孔４側へ押さえ付けると、各腕棒１０において、屈曲部１２が開口６の上端部で支点部１６に対し押接され、棒本体１１が支点部１６に支えられて頭部１から外側へ互いに広がるように斜め下方に延設されて保持される。
【００２０】
このように各腕棒１０を頭部１に保持した状態で保管してもよい。
頭部１上で支持棒２にラインを結んで使用する。
雄ねじ部材８を緩めて軸７による腕棒１０の押接を解除し、支持棒２に対し軸７及び雄ねじ部材８をその軸線２ａに沿って移動させると、腕棒１０の引掛棒１３を筒部３の引掛孔（内孔４及び支持孔９）に対し着脱することができる。
【００２１】
本実施形態は下記の効果を有する。
（１）  ハリス１５が連結される棒本体１１を有する腕棒１０に予め屈曲部１２を形成してその屈曲部１２を介して折り曲げられた引掛棒１３を頭部１の筒部３に保持したので、頭部１に対する棒本体１１の向きは、予め形成された屈曲部１２で棒本体１１と筒部３とがなす交差角度により決まる。従って、腕棒１０を繰り返し折り曲げて使用する必要はなく、腕棒１０が金属疲労により折損するおそれはなくなる。
【００２２】
（２）  引掛棒１３を筒部３に保持する引掛部において、腕棒１０の引掛棒１３を筒部３の開口６から内孔４を通して筒部３内の軸７の支持孔９に挿入し、腕棒１０の屈曲部１２を開口６の支点部１６で支えて腕棒１０の棒本体１１を頭部１から安定性良く延設させることができる。
【００２３】
（３）  引掛棒１３を筒部３に保持する引掛部において、筒部３で軸７が雄ねじ部材８により押されて、開口６の支点部１６に対し腕棒１０の屈曲部１２を緩みなく押接することができる。
【００２４】
（４）  引掛棒１３を筒部３に保持する引掛部において、雄ねじ部材８を緩めて軸７による腕棒１０の屈曲部１２の押接を解除することにより、腕棒１０の引掛棒１３を筒部３に対し着脱し得るので、釣り仕掛けの保管に嵩張らず便利である。
【００２５】
（５）  引掛棒１３を筒部３に保持する引掛部において、頭部１に連結された支持棒２に対し軸７及び雄ねじ部材８を支持棒２の軸線２ａに沿って移動可能に挿通して頭部１に対し着脱し得るので、軸７及び雄ねじ部材８の紛失を防止することができる。
【００２６】
前記実施形態以外にも例えば下記のように構成してもよい。
・  屈曲部１２以外に、屈曲部１２の付近の棒本体１１または引掛棒１３を開口６の上端部で支点部１６に対し押接するようにしてもよい。
【００２７】
・  腕棒１０については一本であってもよい。
・  支持棒２を省略してもよい。
・  接続金具１４を省略し、棒本体１１及び支持棒２の下端部に形成された接続環（接続部）にハリス１５を直接連結してもよい。
【００２８】
・  引掛棒１３を筒部３に保持する引掛部として、筒部３の外周で周方向へ並設した引掛孔に引掛棒１３を挿入し、筒部３の外周に対し着脱可能に挿嵌した止め環により各引掛棒１３を保持する。
【符号の説明】
【００２９】
１…頭部、２…支持棒、２ａ…軸線、３…筒部（引掛部）、４…筒部の内孔（引掛孔）、６…内孔の開口、７…軸、８…雄ねじ部材、９…軸の支持孔（引掛孔）、１０…腕棒、１１…腕棒の棒本体、１２…腕棒の屈曲部、１３…腕棒の引掛棒、１４…接続金具（接続部）、１５…ハリス、１６…開口の支点部。
【図１】
0005893431.tif 000002
【図２】
0005893431.tif 000003
【図３】
0005893431.tif 000004